(57)【要約】【課題】  本発明は、握り押しボタン式子機の胴部を掌で握ることなく操作できるようにすることを目的とする。【解決手段】  アタッチメント１をベッド上などに設置して、操作部３の表面部分に力を加えると、操作部３が表面部に対して折れ曲げられる。そして、操作部３の裏面部分に設けられたレバー部８は、押しボタン１２を押し込む方向へ付勢される。したがって、握り押しボタン式子機１０にこのアタッチメント１が装着されていれば、患者は、操作部３を掌や拳で叩いたり押したりすることで、握り押しボタン式子機１０を掌で握って押しボタン１２を親指で押すのと同じように操作することができる。【選択図】        図２
2008119200.tif 000002
【特許請求の範囲】
【請求項１】
ナースコール装置に接続される握り押しボタン式子機に装着されて押しボタンの操作を介助するアタッチメントであって、
前記握り押しボタン式子機の胴部の少なくとも外周面の一部を覆い、前記胴部を支持する支持部と、
前記支持部の前記胴部を覆う一部分の延長線上に配置され、前記胴部に向かう方向に力が加わったときに前記押しボタンの押し込み方向に折り曲げられた折り曲げ状態となり、前記胴部に向かう方向に力が加わっていないときに元の状態となる操作部と、
前記操作部の前記胴部側に配置され、前記操作部が折り曲げ状態である場合に前記押しボタンを押圧するレバー部と、
を備える握り押しボタン用アタッチメント。
【請求項２】
前記支持部と前記操作部とを樹脂により一体的に形成し、前記支持部と前記操作部との間に溝を形成して、前記溝を形成する線が曲線となるように前記支持部および前記操作部を曲面状に形成したことを特徴とする請求項１に記載の握り押しボタン用アタッチメント。
【発明の詳細な説明】
【技術分野】
【０００１】
本発明は、ナースコール装置に接続される握り押しボタン式子機に装着される握り押しボタン用のアタッチメントに関する。
【背景技術】
【０００２】
ナースコール装置に接続される握り押しボタン式子機は、必要に応じて医療従事者を呼び出せるように患者に個別に割り当てられている。握り押しボタン式子機は、掌に納まる胴部と、この胴部の端部に設けられた押しボタンとを有している。したがって、握り押しボタン式子機を片手で操作する場合、押しボタンは、親指で操作される。
【０００３】
ところで、把持力が弱い患者のために、握り押しボタン式子機を掌の中に保持しておくためのナースコールホルダが知られている（例えば、特許文献１など）。このナースコールホルダを装着した握り押しボタン式子機は、親指で押しボタンを操作するように構成されている。
【特許文献１】特開２００５−５８４５５号公報
【０００４】
しかしながら、前述した特許文献１を含む従来の技術では、握り押しボタン式子機を操作する際に、胴部を掌で握って親指などで押しボタンを押すことにより操作しなければならず、握り押しボタン式子機の胴部を掌で握らなければ操作することができないという問題点があった。
【発明の開示】
【発明が解決しようとする課題】
【０００５】
本発明は、このような問題を解決するために成されたものであり、握り押しボタン式子機の胴部を掌で握ることなく操作できるようにすることを目的とする。
【課題を解決するための手段】
【０００６】
上述した課題を解決するために、本発明では、握り押しボタン式子機の胴部の外周面の一部を覆うとともに胴部を支持する支持部と、その胴部を覆う一部分の延長線上に、胴部に向かう方向に力が加わったときに押しボタンの押し込み方向に折り曲げられた折り曲げ状態となり、胴部に向かう方向に力が加わっていないときに元の状態となる操作部と、その胴部側に配置され、操作部が折り曲げ状態である場合に押しボタンを押圧するレバー部とを備えるようにしている。
【発明の効果】
【０００７】
上記のように構成した本発明によれば、操作部に力を加えると操作部が折り曲げ状態となり、押しボタンがレバー部により押下されるので、患者は、操作部を掌や拳で叩いたり押したりするだけで押しボタンを操作することができる。したがって、押しボタン式子機の胴部を掌で握ることなく操作することができる。
【発明を実施するための最良の形態】
【０００８】
以下、本発明の一実施形態を図面に基づいて説明する。図１は、本実施形態によるアタッチメント１の表面部分を示す外観図である。また、図２は、本実施形態によるアタッチメント１を握り押しボタン式子機１０に装着した状態を示す外観図である。また、図３は、本実施形態によるアタッチメント１を握り押しボタン式子機１０に装着した状態を示す断面図である。
【０００９】
このアタッチメント１は、握り押しボタン式子機１０に装着される。ここで、握り押しボタン式子機１０は、ナースコール装置に接続される子機の一形態である。また、握り押しボタン式子機１０は、胴部１１と押しボタン１２とコード１３とを備えている。
【００１０】
胴部１１は、利用者が握りやすいように、かつ、清拭性を考慮して、滑らかな外形を有している。押しボタン１２は、胴部１１の長手方向に対して、コード１３が延びる部分に対して反対側の先端部分に表面を露出している。ここで、押しボタン１２は、先端部分から胴部１１に向かって押し込まれることにより操作される。また、押しボタン１２を押し込んでいない状態では、押しボタン１２の取り付け位置（胴部１１内）に設けたバネなどにより押しボタン１２は、元の位置に戻るようになっている。
【００１１】
アタッチメント１は、特に、患者が握り押しボタン式子機１０に設けられる押しボタン１２を操作することを介助するためのものである。また、アタッチメント１は、支持部２（表面部２ａおよび接地部２ｂから成る）、操作部３、レバー部８を備えて構成されている。また、支持部２と操作部３とレバー部８とは、弾力性を有する樹脂により一体的に構成されている。
【００１２】
支持部２は、握り押しボタン式子機１０の胴部１１の外周面の一部を覆っている。ここで、支持部２は、胴部１１の４分の３程度を覆っている。また、支持部２の裏面部分には、握り押しボタン式子機１０の胴部１１を支持するためのリブ７ａ〜７ｄを支持部２から延伸するように形成している。ここで、握り押しボタン式子機１０は、第１のリブ７ａおよび第２のリブ７ｂにより胴部１１の中央部分が把持され、第３のリブ７ｃおよび第４のリブ７ｄにより胴部１１のコード１３が伸びる部分が把持されている。これらのリブ７ａ〜７ｄにより、握り押しボタン式子機１０は、アタッチメント１から容易に脱落しないようになっている。
【００１３】
また、アタッチメント１をベッド上などに置いた場合に、接地部２ｂは、表面部２ａが常に患者に見えるように形成されている。また、接地部２ｂにより、アタッチメント１がベッド上で安定するようになっている。ここで、握り押しボタン式子機１０の胴部１１の外周面は、接地部２ｂの側のみ支持部２により覆われていない。
【００１４】
表面部２ａは、支持部２のうちアタッチメント１を患者が操作する際に患者側に向く部分である。ここで、表面部２ａの長手方向の一端には、握り押しボタン式子機１０のコード１３を通すためのコード孔４を形成している。
【００１５】
また、表面部２ａの長手方向の他端には、連結部５により操作部３を連結している。ここで、連結部５の裏面側（胴部１１側）には、溝９を形成している。ここで、溝９を形成する線が曲線となるように、表面部２ａと操作部３とは、曲面を形成している。
【００１６】
また、支持部２と操作部３との間には空隙６が形成されており、操作部３を表面部２ａに対して胴部１１側に折り曲げ可能である。ここで、操作部３の表面部分に力を加えると、操作部３は、押しボタン１２の押し込み方向に折り曲げられる。そして、操作部３の表面部分に力が加わらなくなると、操作部３は、元の状態に戻る。ここで、溝９を形成する線が曲線となっているので、操作部３の表面部分に力を加えたときに抵抗が加わるので、患者はクリック感を得ることができる。
【００１７】
レバー部８は、操作部３の胴部１１側、換言すると操作部３の裏面側に突出して設置されている。また、レバー部８は、操作部３が折り曲げられた状態である場合に押しボタン１２を押圧し、操作部３が元の状態に戻った場合に押しボタン１２を押圧しないようにしている。
【００１８】
このように構成した本実施形態によるアタッチメント１を使用して患者がナースコール装置に呼び出しを行う場合には次のように操作される。患者は、アタッチメント１の操作部３に掌や拳により力を加える。すると、操作部３は、表面部２ａに対して折り曲げられた状態となる。このとき、患者は、連結部５によりクリック感を得ることができる。操作部３が折り曲げられた状態となると、操作部３の裏面に設けられたレバー部８は、握り押しボタン式子機１０の押しボタン１２を押圧する。押しボタン１２が押圧されると、ナースコール装置に呼び出しが行われる。この状態で、患者が操作部３から手を離すと、操作部３に加わっていた力が無くなるので、折り曲げられていた操作部３は、元の状態に戻る。これにより、押しボタン１２も元の状態に戻る。
【００１９】
以上詳しく説明したように、本実施形態によれば、アタッチメント１をベッド上などに設置して、操作部３の表面部分に力を加えると、操作部３が表面部２ａに対して折れ曲げられる。そして、操作部３の裏面部分に設けられたレバー部８は、押しボタン１２を押し込む方向へ付勢される。
【００２０】
したがって、握り押しボタン式子機１０にこのアタッチメント１が装着されていれば、患者は、操作部３を掌や拳で叩いたり押したりすることで、握り押しボタン式子機１０を掌で握って押しボタン１２を親指で押すのと同じように操作することができる。また、本実施形態のアタッチメント１は、構造も簡単であり安価に製造することができる。
【００２１】
本実施形態によるアタッチメント１の材料としては、表面部２ａと操作部３とが連結部５を支点に繰り返し折り曲げられること、連結部５が十分な可撓性を維持できること、レバー部８が十分な強度を持っていることを考慮した樹脂材料、かつ、アルコールで溶解することなく、薬品によって劣化し難い樹脂材料が望ましい。具体的には、ポリエチレン、ポリプロピレン、ポリエチレンビニル等が良い。また、上記したポリエチレン、ポリプロピレン、ポリエチレンビニル等の材料に蓄光性を持つ材料を混ぜることで、アタッチメント１を夜間でも視認可能とすることができる。
【００２２】
なお、前述した実施形態では、支持部２と操作部３とレバー部８とは一体的に形成されているが、別体として形成されていても良い。このような場合では、表面部２ａと操作部３とを連結する連結部５は、ヒンジなどにより構成される。また、折り曲げられた操作部３を元の状態に戻すために、連結部５に板バネなどを設ける必要がある。
【００２３】
また、前述した実施形態では、アタッチメント１の裏面部分には、握り押しボタン式子機１０にアタッチメント１を装着する点を考慮して開口部が形成されているが、これに限定されない。例えば、アタッチメント１の裏面部分に開口部を覆う蓋を設け、握り押しボタン式子機１０にアタッチメント１を装着する際に蓋を開き、アタッチメント１を使用する際に蓋を閉じるようにしても良い。これにより、アタッチメント１内へ塵が入ることをできるだけ防止することができる。
【００２４】
また、前述した実施形態では、溝９は、アタッチメント１の見栄えを考慮して裏面部分に設けられているが、これに限定されない。例えば、溝９を表面部分に形成しても良い。
【００２５】
その他、上記実施形態は、本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【図面の簡単な説明】
【００２６】
【図１】本実施形態によるアタッチメントの表面部分を示す外観図である。
【図２】本実施形態によるアタッチメントを握り押しボタン式子機に装着した状態を示す外観図である。
【図３】本実施形態によるアタッチメントを握り押しボタン式子機に装着した状態を示す断面図である。
【符号の説明】
【００２７】
１    アタッチメント
２    支持部
２ａ    表面部
２ｂ    接地部
３    操作部
５    連結部
８    レバー部
９    溝
【図１】
2008119200.tif 000003
【図２】
2008119200.tif 000004
【図３】
2008119200.tif 000005